(57)【要約】本発明は、フェムトセルの帯域幅制御とアクセス制御とを行う無線通信システムにおける方法、及びネットワーク制御ノードに関する。本発明の方法に従えば、フェムトセルにサービスを提供するフェムトＲＢＳとネットワークノードとの間で測定する利用可能な帯域幅についての情報が決定され、ネットワーク制御ノードに提供される。また、フェムトセルの少なくとも１人の加入ユーザが購入する帯域幅についての情報は、ネットワーク制御ノードにおいて取得される。この方法はさらに、ネットワーク制御ノードにおいて、提供される情報に基づいて、フェムトセルにおいて非加入ユーザに無線ネットワークが提供することができる帯域幅を計算する工程と、さらには、その計算された帯域幅に基づいてセルにおける帯域幅を制御し、アクセスを制御する工程とを有する。
2010538524.tif 000002
【特許請求の範囲】
【請求項１】
無線通信ネットワークに接続されるフェムトＲＢＳ（２１０，３１０）がサービスを提供するフェムトセル（２００，３００）の帯域幅とアクセスとを制御する方法であって、前記方法は、
前記無線通信ネットワークの無線ネットワーク制御ノード（２７２，３７２）において、前記フェムトＲＢＳ（２１０，３１０）と前記無線通信ネットワークに接続されるネットワークノード（２５０，３５０，２７１，３７１）との間で測定された利用可能な帯域幅についての情報と、前記フェムトセル（２００，３００）の少なくとも１人の加入ユーザ（２２０，２３０，３２０，３３０）が購入した帯域幅についての情報とを取得する工程（１）と、
前記無線ネットワーク制御ノード（２７２，３７２）において、前記取得された情報に基づいて、前記フェムトＲＢＳ（２１０，３１０）を介して、前記フェムトセルにおける非加入ユーザ（３４０）に前記無線通信ネットワークが提供することができる帯域幅を計算する工程（２）と、
前記計算された帯域幅についての情報に基づいて、前記フェムトセル（２００，３００）の前記帯域幅とアクセスとを制御する工程（３）とを有することを特徴とする方法。
【請求項２】
前記フェムトＲＢＳ（２１０，３１０）をＩＰネットワーク（２６０，３６０）を介して前記無線通信ネットワークに接続する工程をさらに有することを特徴とする請求項１に記載の方法。
【請求項３】
前記利用可能な帯域幅を測定することは、前記フェムトセル（２００，３００）における顧客宅内装置（ＣＰＥ）を備えた或いは前記顧客宅内装置（ＣＰＥ）に接続された前記フェムトＲＢＳ（２１０，３１０）と前記無線通信ネットワークに接続された前記ネットワークノード（２５０，３５０，２７１，３７１）との間で実行されることを特徴とする請求項１又は２に記載の方法。
【請求項４】
前記工程（１）において、前記購入した帯域幅についての情報を取得することは、前記ＩＰネットワーク（２５０，３５０）へアクセスするために前記１人の加入ユーザ（２２０，２３０，３２０，３３０）が購入したＩＰ帯域幅についての情報を少なくとも取得することを含むことを特徴とする請求項１乃至３のいずれか１項に記載の方法。
【請求項５】
前記取得する工程（１）は、前記無線ネットワーク制御ノード（２７２，３７２）により、前記フェムトＲＢＳ（２１０，３１０）から、前記利用可能な帯域幅についての情報と前記購入したＩＰ帯域幅についての情報を取得することを含むことを特徴とする請求項１乃至４のいずれか１項に記載の方法。
【請求項６】
前記計算する工程（２）において、前記無線通信ネットワークが前記フェムトセル（２００，３００）におけるユーザに割り当てることができる前記帯域幅が、前記無線ネットワーク制御ノード（２７２，３７２）において、前記測定された利用可能な帯域幅と前記購入したＩＰ帯域幅との差をとることにより計算されることを特徴とする請求項５に記載の方法。
【請求項７】
前記無線ネットワークにおける前記無線ネットワーク制御ノード（２７２，３７２）により、別のネットワークノード（２７１，３７１）から、或いは、前記無線ネットワークのアクセス制御データベース（ＡＣＤＢ）ノードから、前記フェムトＲＢＳ（２１０，３１０）を介して前記無線通信ネットワークへのアクセスを行うために前記少なくとも１人の加入ユーザ（２２０，２３０，３２０，３３０）が購入した帯域幅についての情報を要求する工程をさらに有することを特徴とする請求項６に記載の方法。
【請求項８】
前記無線ネットワーク制御ノード（２７２，３７２）において、前記無線通信ネットワークが前記フェムトセル（２００，３００）におけるユーザに割り当てることができる前記帯域幅と、前記フェムトＲＢＳ（２１０，３１０）を介して前記無線通信ネットワークへのアクセスを行うために前記少なくとも１人の加入ユーザ（２２０，２３０，３２０，３３０）が購入した前記帯域幅との差をとることにより、前記非加入ユーザに割り当てられる帯域幅を計算する工程をさらに有することを特徴とする請求項７に記載の方法。
【請求項９】
前記ネットワーク制御ノード（２７２，３７２）から前記フェムトＲＢＳ（２１０，３１０）へ、前記計算された帯域幅と、前記フェムトＲＢＳ（２１０，３１０）を介して前記無線通信ネットワークへのアクセスを行うために前記少なくとも１人の加入ユーザ（２２０，２３０，３２０，３３０）が購入した前記帯域幅についての情報とを送信する工程をさらに有することを特徴とする請求項８に記載の方法。
【請求項１０】
前記帯域幅を制御する工程（３）は、前記フェムトＲＢＳ（２１０，３１０）を介して前記無線通信ネットワークへのアクセスを行うために前記計算された帯域幅を前記非加入ユーザ（３４０）に割り当てることを含み、
前記アクセスを制御することは、前記割り当てられた帯域幅を用いて前記非加入ユーザ（３４０）が前記無線通信ネットワークへのアクセスを行うことを可能とし、前記計算された帯域幅が零以下であるなら、前記非加入ユーザが前記フェムトＲＢＳ（２１０，３１０）を介して前記無線通信ネットワークにアクセスを行うこと禁止することを含むことを特徴とする請求項９に記載の方法。
【請求項１１】
前記フェムトＲＢＳ（２１０，３１０）において、前記ネットワークノード（２５０，３５０）から、前記フェムトＲＢＳ（２１０，３１０）を介して、前記無線通信ネットワークへアクセスを行うために、前記少なくとも１人の加入ユーザ（２２０，２３０，３２０，３３０）が購入した帯域幅についての情報と、前記ＩＰネットワーク（２５０，３５０）へのアクセスを行うために前記少なくとも１人の加入ユーザ（２２０，２３０，３２０，３３０）が購入したＩＰ帯域幅についての情報とを含むマージされた帯域幅についての情報を取得する工程をさらに有することを特徴とする請求項１乃至３のいずれか１項に記載の方法。
【請求項１２】
前記ネットワーク制御ノード（２７２，３７２）において、前記フェムトＲＢＳ（２１０，３１０）から、前記マージされた帯域幅についての情報と前記利用可能な帯域幅についての情報とを取得する工程をさらに有することを特徴とする請求項１１に記載の方法。
【請求項１３】
前記計算する工程（３）はさらに、前記ネットワーク制御ノード（２１０，３１０）において、前記利用可能な帯域幅と前記マージされた帯域幅との差をとることにより、前記非加入ユーザに割り当てられる帯域幅を計算することを含むことを特徴とする請求項１２に記載の方法。
【請求項１４】
前記ネットワーク制御ノード（２７２，３７２）から前記フェムトＲＢＳ（２１０，３１０）に前記計算された帯域幅を送信する工程をさらに有することを特徴とする請求項１３に記載の方法。
【請求項１５】
前記帯域幅を制御する工程（３）はさらに、前記フェムトＲＢＳ（２１０，３１０）を介して、前記無線通信ネットワークへアクセスを行うために、前記計算された帯域幅を前記非加入ユーザ（３４０）に割り当てることを含み、
前記アクセスを制御することは、前記非加入ユーザ（３４０）が前記割り当てられた帯域幅を用いて前記無線通信ネットワークにアクセスを行うことを可能とし、前記計算された帯域幅が零以下であるなら、前記非加入ユーザ（３４０）が前記フェムトＲＢＳ（２１０，３１０）を介して、前記無線通信ネットワークへアクセスを行うことを禁止することを含むことを特徴とする請求項１４に記載の方法。
【請求項１６】
前記フェムトＲＢＳ（２１０，３１０）において、加入ユーザ（２２０，２３０，３２０，３３０）と非加入ユーザ（３４０）との両方に関し、ダウンリンクトラフィックに優先順位を付ける工程をさらに有し、
前記アップリンクトラフィックは前記無線通信ネットワークにアクセスを行うために用いられることを特徴とする請求項１５に記載の方法。
【請求項１７】
前記ネットワークノード（２５０，３５０）において、加入ユーザ（２２０，２３０，３２０，３３０）と非加入ユーザ（３４０）との両方に関し、ダウンリンクトラフィックに優先順位を付ける工程をさらに有し、
前記ダウンリンクトラフィックは前記無線通信ネットワークから備えられることを特徴とする請求項１５に記載の方法。
【請求項１８】
前記取得する工程（１）はさらに、前記無線ネットワーク制御ノード（２７２，３７２）により前記フェムトＲＢＳ（２１０，３１０）から前記利用可能な帯域幅についての情報を取得することを含むことを特徴とする請求項１乃至３のいずれか１項に記載の方法。
【請求項１９】
前記無線ネットワークにおける前記無線ネットワーク制御ノード（２７２，３７２）により、別のネットワークノード（２７１，３７１）或いは前記無線ネットワークのアクセス制御データベース（ＡＣＤＢ）ノードから、前記フェムトＲＢＳ（２１０，３１０）を介して前記無線通信ネットワークに対してアクセスを行うために前記少なくとも１人の加入ユーザ（２２０，２３０，３２０，３３０）が購入した帯域幅についての情報と前記ＩＰネットワーク（２５０，３５０）へのアクセスを行うために前記少なくとも１人の加入ユーザ（２２０，２３０，３２０，３３０）が購入したＩＰ帯域幅についての情報とを有するマージされた帯域幅についての情報を要求する工程をさらに有することを特徴とする請求項１８に記載の方法。
【請求項２０】
前記ネットワーク制御ノード（２７２，３７２）において、前記利用可能な帯域幅と前記マージされた帯域幅との差をとることにより、前記非加入ユーザに割り当てられる帯域幅を計算する工程をさらに有することを特徴とする請求項１９に記載の方法。
【請求項２１】
前記ネットワーク制御ノード（２７２，３７２）から前記フェムトＲＢＳ（２１０，３１０）に前記マージされた帯域幅についての情報を送信する工程と、
前記フェムトＲＢＳ（２１０，３１０）から前記ネットワークノード（２５０，３５０）に前記マージされた帯域幅についての情報を送信する工程とをさらに有することを特徴とする請求項２０に記載の方法。
【請求項２２】
前記帯域幅を制御する工程（３）はさらに、前記フェムトＲＢＳ（２１０，３１０）を介して前記無線通信ネットワークへのアクセスを行うために、前記非加入ユーザ（３４０）に前記計算された帯域幅を割り当てることを含み、
前記アクセスを制御することは、前記非加入ユーザ（３４０）が前記割り当てられた帯域幅を用いて前記無線通信ネットワークへアクセスを行うことを許可し、もし、前記計算された帯域幅が零以下であるなら、前記非加入ユーザ（３４０）が前記フェムトＲＢＳ（２１０，３１０）を介して、前記無線通信ネットワークにアクセスを行うことを禁止することを含むことを特徴とする請求項２１に記載の方法。
【請求項２３】
前記フェムトＲＢＳ（２１０，３１０）において、加入ユーザ（２２０，２３０，３２０，３３０）と前記非加入ユーザ（３４０）との両方についてのアップリンクトラフィックに優先順位を付ける工程をさらに有し、
前記アップリンクトラフィックは前記無線通信ネットワークへのアクセスを行うために用いられることを特徴とする請求項２２に記載の方法。
【請求項２４】
前記ネットワークノード（２５０，３５０）において、加入ユーザ（２２０，２３０，３２０，３３０）と前記非加入ユーザ（３４０）との両方についてのダウンリンクトラフィックに優先順位を付ける工程をさらに有し、
前記ダウンリンクトラフィックは前記無線通信ネットワークから提供されることを特徴とする請求項２２に記載の方法。
【請求項２５】
前記少なくとも１人の加入ユーザ（２２０，２３０，３２０，３３０）が購入した前記ＩＰ帯域幅についての情報は、前記アップリンクと前記ダウンリンクについての購入したＩＰ帯域幅を含むことを特徴とする請求項１乃至２４のいずれか１項に記載の方法。
【請求項２６】
前記アップリンクと前記ダウンリンクの両方において前記利用可能な帯域幅を測定する工程をさらに有することを特徴とする請求項１乃至２５のいずれか１項に記載の方法。
【請求項２７】
無線通信ネットワークに接続されるフェムトＲＢＳ（２１０，３１０）がサービスを提供するフェムトセル（２００，３００）の帯域幅制御とアクセス制御とを行うのに使用する前記無線通信ネットワークの無線ネットワーク制御ノード（２７２，３７２）であって、前記無線ネットワーク制御ノード（２７２，３７２）は、
前記フェムトＲＢＳ（２１０，３１０）と前記無線通信ネットワークに接続されるネットワークノード（２５０，３５０，２７１，３７１）との間で測定される利用可能な帯域幅に関する情報と、前記フェムトセル（２００，３００）における少なくとも１人の加入ユーザ（２２０，２３０，３２０，３３０）が購入した帯域幅についての情報とを取得するように構成された取得手段と、
前記取得された情報に基づいて、前記無線通信ネットワークが前記フェムトＲＢＳ（２１０，３１０）を介して前記フェムトセルの非加入ユーザ（３４０）に提供することができる帯域幅を計算するように構成された計算手段と、
前記計算された帯域幅についての情報に基づいて、前記フェムトセル（２００，３００）の帯域幅を制御し、アクセスを制御するように構成された制御手段とを有することを特徴とする無線ネットワーク制御ノード。
【請求項２８】
前記取得手段は、前記フェムトＲＢＳ（２１０，３１０）から、前記利用可能な帯域幅についての情報と、ＩＰネットワーク（２６０，３６０）へアクセスするために前記少なくとも１人の加入ユーザ（２２０，２３０，３２０，３３０）が購入したＩＰ帯域幅についての情報を少なくとも含む前記購入した帯域幅についての情報を取得するように構成されることを特徴とする請求項２７に記載の無線ネットワーク制御ノード。
【請求項２９】
前記計算手段は、前記無線通信ネットワークが前記フェムトセル（２００，３００）におけるユーザに割り当てることができる前記帯域幅を、前記測定された利用可能な帯域幅と前記購入したＩＰ帯域幅との差をとることにより計算するよう構成されることを特徴とする請求項２８に記載の無線ネットワーク制御ノード。
【請求項３０】
前記取得手段は、別のネットワークノード（２７１，３７１）から、或いは、前記無線ネットワークのアクセス制御データベース（ＡＣＤＢ）ノードから、前記フェムトＲＢＳ（２１０，３１０）を介して前記無線通信ネットワークへのアクセスを行うために前記少なくとも１人の加入ユーザ（２２０，２３０，３２０，３３０）が購入した帯域幅についての情報を取得するよう構成されることを特徴とする請求項２９に記載の無線ネットワーク制御ノード。
【請求項３１】
前記計算手段はさらに、前記無線通信ネットワークが前記フェムトセル（２００，３００）におけるユーザに割り当てることができる前記帯域幅と、前記フェムトＲＢＳ（２１０，３１０）を介して前記無線通信ネットワークへのアクセスを行うために前記少なくとも１人の加入ユーザ（２２０，２３０，３２０，３３０）が購入した前記帯域幅との差をとることにより、前記非加入ユーザに割り当てられる帯域幅を計算するよう構成されることを特徴とする請求項３０に記載の無線ネットワーク制御ノード。
【請求項３２】
前記フェムトＲＢＳ（２１０，３１０）へ、前記計算された帯域幅についての情報と、前記フェムトＲＢＳ（２１０，３１０）を介して前記無線通信ネットワークへのアクセスを行うために前記少なくとも１人の加入ユーザ（２２０，２３０，３２０，３３０）が購入した前記帯域幅についての情報とを送信する手段をさらに有することを特徴とする請求項３１に記載の無線ネットワーク制御ノード。
【請求項３３】
前記制御手段は、前記計算された帯域幅を前記非加入ユーザ（３４０）に割り当てるよう構成され、
前記制御手段はさらに、前記計算された帯域幅を前記フェムトＲＢＳ（２１０，３１０）に通知することにより、前記非加入ユーザ（３４０）が前記フェムトＲＢＳ（２１０，３１０）を介して前記無線ネットワークにアクセスを行うことを許可するように構成されることを特徴とする請求項３２に記載の無線ネットワーク制御ノード。
【請求項３４】
前記制御手段は、前記非加入ユーザ（３４０）が前記フェムトＲＢＳ（２１０，３１０）を介して前記無線通信ネットワークにアクセスを行うよう前記計算された帯域幅を割り当てるよう構成され、
前記制御手段はさらに、前記割り当てられた帯域幅を用いて前記非加入ユーザ（３４０）が前記無線通信ネットワークへのアクセスを行うことを可能とし、前記計算された帯域幅が零以下であるなら、前記非加入ユーザが前記フェムトＲＢＳ（２１０，３１０）を介して前記無線通信ネットワークにアクセスを行うこと禁止することにより、アクセス制御を行うように構成されることを特徴とする請求項３３に記載の無線ネットワーク制御ノード。
【請求項３５】
前記取得手段はさらに、前記フェムトＲＢＳ（２１０，３１０）から前記利用可能な帯域幅についての情報とマージされた帯域幅についての情報とを取得するように構成され、
前記マージされた帯域幅についての情報は、前記フェムトＲＢＳ（２１０，３１０）を介して、前記無線通信ネットワークへアクセスを行うために、前記少なくとも１人の加入ユーザ（２２０，２３０，３２０，３３０）が購入した帯域幅についての情報と、前記ＩＰネットワーク（２５０，３５０）へのアクセスを行うために前記少なくとも１人の加入ユーザ（２２０，２３０，３２０，３３０）が購入したＩＰ帯域幅についての情報とを含むことを特徴とする請求項２７に記載の無線ネットワーク制御ノード。
【請求項３６】
前記計算手段はさらに、前記利用可能な帯域幅と前記マージされた帯域幅との差をとることにより、前記非加入ユーザに割り当てられる帯域幅を計算するよう構成されることを特徴とする請求項３５に記載の無線ネットワーク制御ノード。
【請求項３７】
前記フェムトＲＢＳ（２１０，３１０）に前記計算された帯域幅を送信する手段をさらに有することを特徴とする請求項３６に記載の無線ネットワーク制御ノード。
【請求項３８】
前記制御手段はさらに、前記フェムトＲＢＳ（２１０，３１０）を介して、前記無線通信ネットワークへアクセスを行うために、前記計算された帯域幅を前記非加入ユーザ（３４０）に割り当てるように構成され、
前記制御手段はさらに、前記非加入ユーザ（３４０）が前記割り当てられた帯域幅を用いて前記無線通信ネットワークにアクセスを行うことを可能とし、前記計算された帯域幅が零以下であるなら、前記非加入ユーザ（３４０）が前記フェムトＲＢＳ（２１０，３１０）を介して、前記無線通信ネットワークへアクセスを行うことを禁止することによってアクセス制御を行うように構成されることを特徴とする請求項３７に記載の無線ネットワーク制御ノード。
【請求項３９】
前記取得手段はさらに、前記フェムトＲＢＳ（２１０，３１０）から、前記利用可能な帯域幅についての情報とを取得するよう構成されることを特徴とする請求項２７に記載の無線ネットワーク制御ノード。
【請求項４０】
前記取得手段は、別のネットワークノード（２７１，３７１）或いは前記無線ネットワークのアクセス制御データベース（ＡＣＤＢ）ノードから、前記フェムトＲＢＳ（２１０，３１０）を介して前記無線通信ネットワークに対してアクセスを行うために前記少なくとも１人の加入ユーザ（２２０，２３０，３２０，３３０）が購入した帯域幅についての情報と前記ＩＰネットワーク（２５０，３５０）へのアクセスを行うために前記少なくとも１人の加入ユーザ（２２０，２３０，３２０，３３０）が購入したＩＰ帯域幅についての情報とを有するマージされた帯域幅についての情報を取得するよう構成されることを特徴とする請求項３９に記載の無線ネットワーク制御ノード。
【請求項４１】
前記計算手段はさらに、前記利用可能な帯域幅と前記マージされた帯域幅との差をとることにより、前記非加入ユーザに割り当てられる帯域幅を計算するよう構成されることを特徴とする請求項４０に記載の無線ネットワーク制御ノード。
【請求項４２】
前記フェムトＲＢＳ（２１０，３１０）に、前記マージされた帯域幅についての情報を送信する手段をさらに有することを特徴とする請求項４１に記載の無線ネットワーク制御ノード。
【請求項４３】
前記制御手段はさらに、前記フェムトＲＢＳ（２１０，３１０）を介して前記無線通信ネットワークへのアクセスを行うために、前記非加入ユーザ（３４０）に前記計算された帯域幅を割り当てるよう構成され、
前記制御手段はさらに、前記非加入ユーザ（３４０）が前記割り当てられた帯域幅を用いて前記無線通信ネットワークへアクセスを行うことを許可し、もし、前記計算された帯域幅が零以下であるなら、前記非加入ユーザ（３４０）が前記フェムトＲＢＳ（２１０，３１０）を介して、前記無線通信ネットワークにアクセスを行うことを禁止することによりアクセス制御を行うよう構成されることを特徴とする請求項４２に記載の無線ネットワーク制御ノード。
【発明の詳細な説明】
【技術分野】
【０００１】
本発明は一般に無線通信の分野に関し、特に無線システムのフェムトセルにおける帯域幅制御とアクセス制御方法およびネットワークノードに関する。
【背景技術】
【０００２】
無線アクセスネットワークは多様な通信ネットワーク環境の重要な要素になっている。企業ネットワーク環境に関して、企業ネットワーク環境はラップトップと移動ハンドヘルド型デバイスとの内の少なくともいずれかを携える社員もしくは顧客にネットワークリソースへの便利な無線アクセスを提供する。さらに、例えば、ホテル、列車の駅、空港、レストラン、学校、大学および家庭のような一般的環境において、ラップトップ、移動体電話などのような種々の通信デバイスにより動作可能な無線アクセスポイントが広く使用され、高速インターネットアクセスを提供するのに主として使用される。
【０００３】
セルラ通信ネットワークシステムが家庭または小エリアに提供するカバレッジ領域をさらに拡大する可能性を通信分野の製造業者および運用会社が現在調査している。セルラ通信ネットワークシステムの例は、第３世代（３Ｇ）セルラネットワークシステムまたは広帯域符号分割多元接続（ＷＣＤＭＡ）としても知られている汎用移動通信システム（ＵＭＴＳ）ネットワーク、汎欧州デジタル移動電話方式（ＧＳＭ）ネットワーク、ＧＳＭシステムのインフラストラクチャを利用する汎用パケット無線サービス（ＧＰＲＳ）ネットワークである。セルラアクセスネットワークの２つの更なる例は、ＧＳＭとＧＰＲＳに対するさらなる高度化であるＥＤＧＥとＥＧＰＲＳである。ＥＤＧＥはＧＳＭの発展型のための高速データ速度に言及しており、ＥＧＰＲＳはＧＰＲＳ用のＥＤＧＥに言及している。
【０００４】
このような調査によれば、限定された数のユーザ（例えば、ユーザ機器（ＵＥ））には、例えば、ある種のインターネットプロトコル（ＩＰ）ベースの伝送を使用して３Ｇネットワークの無線ネットワーク制御装置（ＲＮＣ）に接続される３Ｇ“フェムトＲＢＳ”とも呼ばれる小規模な無線基地局（ＲＢＳ）を使用してＷＣＤＭＡまたは３Ｇのカバレッジを提供することができる。このように提供するカバレッジ領域は“フェムトセル”と呼ばれ、そのカバレッジ領域がマクロセルエリアと比較して相対的に小さいことを示す。フェムトＲＢＳについての他の用語は、“ホームＲＢＳ”と、“ピコＲＢＳ”と、“ホーム３Ｇアクセスポイント（Ｈ３ＧＡＰ）”と、“ミクロＲＢＳ”と、“ホーム・アクセス・ポイント（ＨＡＰ）”と、“ホームノードＢ（ＨＮＢ）”との内の少なくともいずれかを含む。
【０００５】
ＩＰベース伝送の１つの代替伝送は、フェムトＲＢＳをＲＮＣに接続するのに（ｘＤＳＬ、ケーブルなどのような）固定広帯域アクセスを使用することである。別の代替伝送は移動体広帯域アクセス、例えば、ＨＳＤＰＡや高度化アップリンク、或いは、幾つかのＷｉＭＡＸ技術を使用することであろう。
【０００６】
図１は、Ｈ３ＧＡＰとして動作するフェムトＲＢＳ４０を含むＷＣＤＭＡネットワーク１の例を図示する。図示するように、ネットワーク１はコアネットワーク（ＣＮ）１０を含み、コアネットワーク１０は１つ以上のＲＮＣ２０に接続され、ＲＮＣ２０がそれに接続する全ての無線基地局、即ち、マクロＲＢＳ３０とフェムトＲＢＳ４０を制御する。マクロＲＢＳ３０はマクロセル３１にサービスを提供する一方、フェムトＲＢＳ４０はフェムトセル４１にサービスを提供する。図示するように、各フェムトＲＢＳ４０はその専用フェムトセル４１にサービスを提供する。従来技術ではよく知られるように、ＲＢＳは通常、ＲＢＳがサービスを提供する各セルの内部（例えば、中心）に位置するが、説明を明瞭にするために、その代わりに、図１のマクロＲＢＳ３０とフェムトＲＢＳ４０は両方向矢印により各セルに関連するように示されている。少なくとも幾つかのフェムトセル４１はマクロセル３１と地理的に重なるか、または重複する。
【０００７】
ユーザ機器（ＵＥ）５０は無線インタフェースにより１つ以上のセルもしくは１つ以上のＲＢＳと通信する。ＵＥは移動体電話（或いは“セルラ電話”）、移動体終端を備えたラップトップであり、従って、無線アクセスネットワークと音声とデータとの内の少なくともいずれかの通信を行うことができる、例えば、携帯型、ポケット型、ハンドヘルド型、コンピュータ内蔵、または車載型の移動体機器である。ＵＥ５０はさらにフェムトＲＢＳ４０を介してＩＰベース伝送ネットワーク６０により無線アクセスネットワークと通信することができ、ＩＰベース伝送ネットワーク６０は前述のごとく広帯域固定ＩＰベース伝送（例えば、ｘＤＳＬ）もしくは広帯域移動ＩＰベース伝送（例えば、ＷｉＭＡＸ）のいずれかで良い。
【発明の概要】
【発明が解決しようとする課題】
【０００８】
図１に描かれるＷＣＤＭＡネットワークでは、マクロＲＢＳ３０とＲＮＣ２０との間の伝送ネットワーク能力（即ち、帯域幅）は通常事前に知られる。ネットワーク能力に関する情報は運用会社が、例えば、ＲＮＣ２０内の輻輳やアドミッション制御に使用することができる。とはいえ、特に数千のフェムトＲＢＳをネットワークが展開され、フェムトＲＢＳとＩＰベースネットワーク６０のネットワークノードとの間の距離を判断することをより困難にする場合、フェムトＲＢＳ４０と例えばＩＰネットワーク６０の一部或いはＩＰベースネットワーク６０に接続されたネットワークノード６１との間のネットワーク能力（即ち、帯域幅）は、より予測不可能である。このようなＩＰネットワークノードは、例えば、フェムトＲＢＳをＲＮＣに連結するディジタル加入者線アクセスマルチプレクサ（ＤＳＬＡＭ）であるかもしれない。従って、このネットワーク能力の知識がなければ、フェムトＲＢＳによりサービスが提供されるフェムトセル内の輻輳とアドミッション／アクセス制御はより困難であり、フェムトセルのリソースと容量の不要な浪費に繋がる。
【０００９】
従って、本発明の目的はフェムトＲＢＳがサービスを提供するフェムトセル内の輻輳とアドミッション／アクセス制御を実行する手順を提供することにより、以上の不利益の少なくとも幾つかを除去し、フェムトセルのネットワーク能力或いは帯域幅の利用と制御とを改善することにある。
【課題を解決するための手段】
【００１０】
本発明を第１の側面から見れば、無線通信ネットワークに接続されるフェムト無線基地局がサービスを提供するフェムトセルの帯域幅制御およびアクセス制御方法により、上述の課題は解決する。この方法は、無線通信ネットワークの無線ネットワーク制御ノードにおいて、フェムト無線基地局と無線通信ネットワークに接続するネットワークノードとの間で利用可能な帯域幅についての情報とフェムトセルの少なくとも１人の加入ユーザにより購入された帯域幅に関する獲得情報とを取得する工程を有する。その加入ユーザは、例えば、フェムトＲＢＳを所有もしくは借用し、例えば、ＡＤＳＬ、ＶＤＳＬ、ＡＤＳＬ２＋などのようなＩＰ広帯域インターネット接続に加入するか、またはＷｉＭＡＸのような無線ＩＰ広帯域接続に加入するホームユーザまたは企業であるかもしれない。
【００１１】
本発明を第１の側面から見れば、その方法はさらに、上述の取得情報に基づいて、フェムト無線基地局を介して、フェムトセルの非加入ユーザに無線通信ネットワークが提供することができる帯域幅を計算する工程を有する。その方法はさらに、計算された帯域幅についての情報に基づいて、フェムトセルの帯域幅とアクセスとを制御する工程を有する。本発明の実施例に従えば、フェムトセルの帯域幅或いは容量制御は、フェムトセルのフェムト無線基地局のアドミッション制御、輻輳制御、およびアクセス権制御を含む。
【００１２】
本発明を別の側面から見れば、上述の課題は、ＩＰネットワークを介して無線ネットワーク制御ノードに接続されるフェムトＲＢＳがサービスを提供するフェムトセルの帯域幅制御とアクセス制御とを行うのに使用する無線通信システムの無線ネットワーク制御ノードにより解決される。本発明によれば、無線ネットワーク制御ノードは、フェムトＲＢＳと無線通信ネットワークに接続するネットワークノードとの間で測定される利用可能な帯域幅に関する情報と、さらには、フェムトセルの少なくとも１人の加入ユーザが購入する帯域幅についての情報とを取得するように構成された取得手段を有する。無線ネットワーク制御ノードがさらに、前記取得された情報に基づいて、無線通信ネットワークがフェムトＲＢＳを介してフェムトセルの非加入ユーザに提供することができる帯域幅を計算するように構成された計算手段を有し、さらに、前記計算された帯域幅に関する情報に基づいて、フェムトセルの帯域幅を制御し、アクセスを制御するように構成された制御手段を有する。
【００１３】
次に、幾つかの実施例により、添付図面を参照して、本発明をより詳細に説明することにするが、以下の図面は例示的であるだけであり、添付する請求の範囲内において説明するように、図示する具体的な実施例において種々の修正や変更をなし得ることに注意されたい。
【図面の簡単な説明】
【００１４】
【図１】本発明が用いられるフェムト無線基地局を含む代表的なＷＣＤＭＡ無線通信ネットワークを図示するブロック図である。
【図２】加入ユーザにサービスを提供する１つのフェムトＲＢＳを含む、本発明が用いられる無線ネットワークを概略的に示す図である。
【図３】加入ユーザと非加入ユーザが含まれる１つのフェムトセルを有する、本発明が用いられる無線ネットワークを概略的に示す図である。
【図４】本発明の第１の代表的な実施例に従うシグナリングメッセージを例示する図である。
【図５Ａ】フェムトセルにおける従来の帯域幅利用を示す図である。
【図５Ｂ】本発明の第１の代表的な実施例に従うフェムトセルにおける帯域幅利用の例を示す図である。
【図６Ａ】本発明の第２の代表的な実施例に従うシグナリングメッセージを例示する図である。
【図６Ｂ】本発明の更に別の代表的な実施例に従うシグナリングメッセージを例示する図である。
【図７】本発明の他の代表的な実施例に従うフェムトセルにおける帯域幅利用の例を示す図である。
【発明を実施するための形態】
【００１５】
以下の記述では、限定的な意味ではないが説明のために、本発明についての完全な理解をもたらすために、特定のアーキテクチュア、シナリオ、技術などのような具体的な詳細が説明される。しかしながら、当業者には本発明およびその実施例をこれらの具体的な詳細を逸脱した他の実施例において実施できることは明らかであろう。
【００１６】
本発明をここでは特定のシナリオの例に言及して説明する。特に、本発明を、無線ネットワーク制御ノード、即ち、例えば、ｘＤＳＬのような固定ＩＰベース広帯域アクセスネットワークを介したＷＣＤＭＡ無線ネットワークの無線ネットワーク制御装置（ＲＮＣ）に接続されたフェムト無線基地局を含むＷＣＤＭＡ無線通信ネットワークに関する非限定的で一般的な環境下において接続する。
【００１７】
図２はこのような代表的なＷＣＤＭＡ無線ネットワーク２を図示する。とはいえ説明を簡潔にするため、単一のフェムト無線基地局（フェムトＲＢＳ）２１０のみを図示する。フェムトセル（即ち、ホーム／事務所）２００にフェムトＲＢＳ２１０がサービスを提供する。フェムトＲＢＳ２１０はフェムトＲＢＳ２１０が位置するホームまたは企業／事務所のユーザが使用することを目的としている。フェムトＲＢＳ２１０はさらに無線ＷＣＤＭＡネットワーク２に統合され、従って、無線ＷＣＤＭＡネットワークに割り当てる無線周波数スペクトラム（またはその一部）を共用する。従って、ユーザ機器（ＵＥ）２３０はフェムトＲＢＳ２１０のカバレッジを去る場合、フェムトセル２００から別のマクロ無線セルにローミングすることができ、また、フェムトＲＢＳ２１０の近傍に位置する場合、（不図示）別のマクロ無線セルからフェムトセル２００にローミングすることができる。フェムトＲＢＳ２１０はさらにホーム／事務所内イーサネット（登録商標）ローカルエリアネットワークへの接続を提供することができ、それ故イーサネット（登録商標）により１つまたは幾つかのパーソナルコンピュータ２２０に接続することができる。フェムトＲＢＳ２１０に接続するパーソナルコンピュータ２２０はまた、この文脈ではＵＥ２２０として参照する。フェムトＲＢＳ２１０はさらに、ｘＤＳＬ（例えば、ＡＤＳＬ、ＶＤＳＬ、ＡＤＳＬ２＋、など）（不図示）顧客宅内装置（ＣＰＥ）を備えることができるか、またはフェムトセルにおいてローカルにｘＤＳＬ顧客宅内装置に接続しても良い。ｘＤＳＬ顧客宅内装置は、マルチモードモデム機能を有し、従って、ディジタル加入者線（ＤＳＬ）を使用して、ＩＰネットワーク２６０を経る無線ネットワークへのＩＰ接続を提供することを可能にする。
【００１８】
図２に示すように、ＩＰネットワーク２６０はディジタル加入者線アクセスマルチプレクサ（ＤＳＬＡＭ）２５０に接続し、ディジタル加入者線アクセスマルチプレクサ（ＤＳＬＡＭ）２５０はＩＰネットワークに、そしてさらに無線アクセスネットワークの少なくとも１つのネットワークノードにフェムトＲＢＳ（またはフェムトＲＢＳおよびＣＰＥ）を連結する。例として、ＤＳＬＡＭ２５０はＩＰネットワーク２６０を介してセキュリティゲートウェイ（ＳＥＧＷ）２７１に接続することができる。ＳＥＧＷ２７１は通常、例えば、ＵＥ２３０の汎用加入者識別モジュール（ＵＳＩＭ）情報を使用するユーザ認証と、ＵＥとＳＥＧＷとの間のＩＰセキュリティ（ＩＰｓｅｃ）トンネリングおよび暗号化と、ファイヤウォールとサービス攻撃分散拒否（ＤＤｏＳ）保護と、サービス窃盗およびコアインフラストラクチャなどへのＤｏＳ攻撃を防止するトラフィック帯域幅制限などを提供する。図２に図示されているように、ＲＮＣ２７２はＳＥＧＷ２７１に接続する。無線ネットワークでは、例えば、ＷＣＤＭＡをサポートする全てのＲＢＳサービスにＲＮＣ２７２が必要である。ＲＮＣ２７２はさらにコアネットワーク（ＣＮ）２７３に接続する。
【００１９】
図２で、ＵＥ２２０またはＵＥ２３０を有するエンドユーザは、フェムトＲＢＳ２１０の所有者であるかもしれず、また、ｘＤＳＬ（例えば、ＡＤＳＬ）固定接続を購入しているか、もしくはこれに加入しているかもしれない。固定広帯域接続への加入は通常、広帯域ネットワーク運用会社から加入ユーザが購入したアップリンクおよびダウンリンクの帯域幅量を含む。例として、加入ユーザは、ダウンリンク帯域幅について８Ｍｂｐｓ、そして、アップリンク帯域幅について１．５Ｍｂｐｓを提供することができるＡＤＳＬのＩＰ広帯域接続を購入するかもしれない。購入したＩＰ帯域幅をここでは「購入ＩＰＢＷ」として言及する。
【００２０】
加入ユーザ（ＵＥ２２０および／またはＵＥ２３０）はさらに３Ｇトラフィックについて購入、または加入したかもしれない。即ち、そのユーザは無線ＷＣＤＭＡネットワークにアクセスする加入を行ったかもしれない。３Ｇトラフィックについて加入ユーザが使用する購入帯域幅をここでは「購入３ＧＢＷ」として言及する。
【００２１】
従って、フェムトセル２００では、加入ユーザはフェムトＲＢＳ２１０を介して広帯域固定ＡＤＳＬＩＰネットワークと３Ｇ（またはＷＣＤＭＡ）ネットワークの双方にアクセスすることができる。このような場合、加入ユーザが購入しているのは、「購入ＩＰＢＷ」と「購入３ＧＢＷ」の和に対応する、ここで「購入ＢＷ」として言及する帯域幅、即ち
購入ＢＷ＝購入ＩＰＢＷ＋購入３ＧＢＷ        （１）
である。
【００２２】
以下、本発明の代表的な実施例を図３に関連させて説明する。
【００２３】
図３に示すように、ネットワーク３はフェムトＲＢＳ３１０がサービスを提供するフェムトセル３００を含む。フェムトＲＢＳ３１０はここでは（不図示）ＣＰＥを備えるか、またはフェムトセル３００においてローカルにＣＰＥと接続すると考える。それ故、フェムトＲＢＳをここでフェムトＲＢＳと呼ぶ場合、ＣＰＥをフェムトＲＢＳに統合すると考える一方、フェムトＲＢＳ＋ＣＰＥをここではＣＰＥに接続するフェムトＲＢＳと呼ぶ、即ち、ＲＢＳとＣＰＥとの間に定義するインタフェースが存在する。
【００２４】
図３に戻ると、フェムトＲＢＳ（またはフェムトＲＢＳ＋ＣＰＥ）はさらにＤＳＬＡＭ３５０を介してＩＰネットワーク３６０に接続される。加えて、ＩＰネットワーク３６０はさらにＳＥＧＷ３７１に接続することができ、ＳＥＧＷ３７１は次いでＲＡＮ３７０のＲＮＣ３７２に接続する。ＲＮＣ３７２はさらにコアネットワーク３７３に接続する。
【００２５】
図３のフェムトセル３００で、前に式（１）で表したようにＵＥ３２０およびＵＥ３３０は「購入ＢＷ」である帯域幅を購入した加入ユーザに属すと考える。図３に描かれているＵＥ３４０は、１人または幾人かの非加入ユーザに属すと考える。ＵＥ３３０およびＵＥ３４０はこの文脈では、ＲＡＮ３７０に接続するのに使用することができる少なくとも１つのインタフェースを備える。従って、ＲＡＮ３７０がＷＣＤＭＡ（または３Ｇ）ネットワークの一部である場合、ＵＥは３Ｇ（もしくはＷＣＤＭＡまたはＵＭＴＳ）ＵＥである。なお、コンピュータを表すＵＥ３２０もまた、ＲＡＮ３７０に接続するのに使用することができる少なくとも１つのインタフェースを備えることができる。
【００２６】
通常の場合、非加入ユーザＵＥ３４０がフェムトＲＢＳ３１０にアタッチされるとき、ＵＥ３４０はフェムトＲＢＳ３１０を介してＲＡＮにアクセスすることが認可されているかどうかをＲＡＮ３７０は調べるであろう。このような場合、ＵＥ３４０が非加入ユーザに属するので、ＵＥ３４０がＲＡＮ３７０へアクセスするのは拒否される。しかしながら、本発明の実施例に従えば、ＲＡＮ３７０がフェムトＲＢＳ３１０にアタッチされている非加入ユーザＵＥ３４０に提供することができる帯域幅が計算され、フェムトセル３００における帯域幅とアクセス権とを制御するのに使用される。
【００２７】
このため、本発明の第１の代表的な実施例に従えば、利用可能な帯域幅についての情報が、フェムトＲＢＳ３１０（またはフェムトＲＢＳ３１０＋ＣＰＥ）とＤＳＬＡＭ３５０との間でまず測定される。それ故、フェムトＲＢＳ３１０（またはフェムトＲＢＳ３１０＋ＣＰＥ）の初期化中に、フェムトＲＢＳ３１０（またはフェムトＲＢＳ３１０＋ＣＰＥ）とＤＳＬＡＭ３５０との間のダウンリンクおよびアップリンク双方において、伝送回線試験が実行され、従って、ここで「ＤＳＬ回線ＢＷ」と表す利用可能な帯域幅が測定される。測定される「ＤＳＬ回線ＢＷ」をここでは、フェムトＲＢＳ３１０（またはフェムトＲＢＳ３１０＋ＣＰＥ）とＤＳＬＡＭ３５０との間の最大利用可能帯域幅であると考え、その最大利用可能帯域幅はフェムトＲＢＳ３１０（またはフェムトＲＢＳ３１０＋ＣＰＥ）とＤＳＬＡＭ３５０との間の伝送回線品質と距離とにより制限される。それ故、幾つか（数百または数千）のフェムトＲＢＳが展開されるネットワークでは、変動する伝送回線品質に加えて、異なるフェムトＲＢＳとＤＳＬＡＭとの間で変化する距離により、異なるフェムトＲＢＳとＤＳＬＡＭとの間で測定される「ＤＳＬ回線ＢＷ」はたいていは異なっている。
【００２８】
図３に戻ると、フェムトＲＢＳ３１０とＤＳＬＡＭ３５０との間の「ＤＳＬ回線ＢＷ」を判断／測定するに際し、本発明の第１の代表的な実施例に従えば、「ＤＳＬ回線ＢＷ」をフェムトＲＢＳ３１０（またはフェムトＲＢＳ３１０＋ＣＰＥ）に格納すると良い。
【００２９】
前述のように、加入ユーザ（ＵＥ２３０）は、「購入ＩＰＢＷ」として前に言及したＩＰ帯域幅を購入している。この帯域幅は、購入ＡＤＳＬ  ＩＰ帯域幅に対応する。本発明の現在の代表的な実施例に従えば、（アップリンクおよびダウンリンクにおける）「購入ＩＰＢＷ」についての情報はＤＳＬＡＭ３５０に格納され、これはその情報が格納されるフェムトＲＢＳ３１０（またはフェムトＲＢＳ３１０＋ＣＰＥ）に提供される。従って、フェムトＲＢＳ３１０（またはフェムトＲＢＳ３１０＋ＣＰＥ）は、第１のパラメータである「ＤＳＬ回線ＢＷ」に対応する測定された利用可能帯域幅についての情報と、第２のパラメータである「購入ＩＰＢＷ」に対応する加入ユーザのＩＰ  ＡＤＳＬ帯域幅についての情報を有する。その後、本発明の第１の代表的な実施例に従えば、フェムトＲＢＳ３１０（またはフェムトＲＢＳ３１０＋ＣＰＥ）から第１及び第２のパラメータ（即ち、「ＤＳＬ回線ＢＷ」と「購入ＩＰＢＷ」）を取得するように、ＲＮＣ３７２は構成設定される。従って、ＲＮＣ３７２はフェムトＲＢＳ３１０から第１及び第２のパラメータを取得する取得手段を有する。
【００３０】
本発明の第１の代表的な実施例に従えば、ＲＮＣ３７２は、第１及び第２のパラメータを使用して、ここでは「Ｍａｘ３ＧＢＷ」として言及される、ＲＡＮ３７０（または同様に無線３Ｇネットワーク）がフェムトＲＢＳ３１０を介して提供することができる最大帯域幅を計算するように構成された計算手段を有する。ＲＮＣ３７２は、以下の式により与える「Ｍａｘ３ＧＢＷ」を計算し、格納する。即ち、
Ｍａｘ３ＧＢＷ＝ＤＳＬ回線ＢＷ−購入ＩＰＢＷ            （２）
である。
【００３１】
前述のように、加入ユーザ（ＵＥ３２０）はさらに、前に「購入３ＧＢＷ」として言及した３Ｇトラフィックの帯域幅を購入したかもしれない。本発明の第１の代表的な実施例に従えば、「購入３ＧＢＷ」についての情報は、ＲＡＮ３７０のネットワークノードからＲＮＣ３７２によって取得、即ち、取り出される。ネットワークノードは、例えば、ＲＡＮ３７０に位置するアクセス制御データベース（ＡＣＤＢ）であっても良いし、或いは、ＳＥＧＷ３７１であっても良いし、或いは、「購入３ＧＢＷ」の知識を有する何らかの他のネットワークノードであっても良い。本発明の第１の代表的な実施例に従えば、ＲＮＣ３７２は「購入３ＧＢＷ」についての情報を以前に計算した最大帯域幅「Ｍａｘ３ＧＢＷ」と共に格納する。ＲＮＣ３７２は、非加入ユーザＵＥ３４０にどのくらいの帯域幅を割り当てることができるのかを判断／計算し、フェムトセル３００における帯域幅制御とアクセス権制御とを行うことができる。本発明の代表的な実施例として、ＲＮＣ３７２は以下の式を使用して、ここで「非割り当て３ＧＢＷ」として言及する非割り当て帯域幅を判断することができる。即ち、
非割り当て３ＧＢＷ＝Ｍａｘ３ＧＢＷ−購入３ＧＢＷ        （３）
である。
【００３２】
本発明の別の代表的な実施例に従えば、ＲＮＣ３７２は、「非割り当て３ＧＢＷ」について情報と「購入３ＧＢＷ」についての情報との内、少なくともいずれかをフェムトＲＢＳ３１０（またはフェムトＲＢＳ３１０＋ＣＰＥ）に送信し、１つ以上の加入ユーザ（ＵＥ３３０）のスループットを「購入３ＧＢＷ」に制限し、他のユーザ、即ち、非加入ユーザＵＥ３４０に対して、残りの帯域幅である「非割り当て３ＧＢＷ」を使用するようにフェムトＲＢＳ３１０に要求することができる。「Ｍａｘ３ＧＢＷ」が「購入３ＧＢＷ」以下である場合、非加入ユーザＵＥ３４０は、ＲＡＮ３７０によりフェムトＲＢＳ３１０にアクセスするのを拒否（禁止）されるであろう。従って、加入ユーザＵＥ３３０のみがフェムトＲＢＳ３１０を介して３Ｇネットワークにアクセスすることが許される。
【００３３】
なお、非加入ユーザＵＥ３４０に割り当てることができる利用可能帯域幅がある、即ち「非割り当て３ＧＢＷ」が零でない場合、フェムトセル３００におけるアップリンクデータに対しての輻輳制御の改善を達成することができるが、ダウンリンクデータと非アップリンクデータはここではなおＲＮＣ３７２が制御すべきであると考える。これは、フェムトセル３００における加入ユーザＵＥ３３０のみが３Ｇトラフィックに対して「購入３ＧＢＷ」を使用することが許されており、一方非加入ユーザＵＥ３４０は３Ｇトラフィックに対しては「非割り当て３ＧＢＷ」を使用することのみが許されているためである。
【００３４】
上述の式（３）から、ユーザＵＥ３３０が「購入３ＧＢＷ」を持たない、即ち、「購入３ＧＢＷ」が零に等しい場合、ＲＮＣ３７１がフェムトセル３００のユーザにフェムトＲＢＳ３１０を介して割り当てることができる帯域幅は、最大利用可能３Ｇ帯域幅、即ち、「Ｍａｘ３ＧＢＷ」に対応することは明らかである。従って、フェムトセル３００の全てのＵＥ３２０、ＵＥ３３０、ＵＥ３４０は、ＲＮＣ３７２により、フェムトＲＢＳ３１０を介して無線３Ｇネットワークにアクセスすることが許されるかもしれない。
【００３５】
図４には、本発明の第１の代表的な実施例に従うフェムトセル３００における帯域幅制御とアクセス制御とを行う上記方法に従うシグナリングメッセージが図示されている。
【００３６】
−ステップ１では、ＤＳＬ回線ＢＷ試験をフェムトＲＢＳ（またはフェムトＲＢＳ＋ＣＰＥ）とＤＳＬＡＭとの間で（アップリンクおよびダウンリンク双方において）実行し、これにより「ＤＳＬ回線ＢＷ」を測定する。
【００３７】
−ステップ２では、「ＤＳＬ回線ＢＷ」についての情報をフェムトＲＢＳ（またはフェムトＲＢＳ＋ＣＰＥ）に格納する。
【００３８】
−ステップ３では、「購入ＩＰＢＷ」として前に言及した（アップリンクおよびダウンリンク双方の）購入ＡＤＳＬ  ＩＰ帯域幅についての情報をＤＳＬＡＭからフェムトＲＢＳ（またはフェムトＲＢＳ＋ＣＰＥ）に提供する。
【００３９】
−ステップ４では、「購入ＩＰＢＷ」についての情報をフェムトＲＢＳ（またはフェムトＲＢＳ＋ＣＰＥ）に格納する。
【００４０】
−ステップ５では、フェムトＲＢＳ（またはフェムトＲＢＳ＋ＣＰＥ）は「ＤＳＬ回線ＢＷ」についての情報と「購入ＩＰＢＷ」についての情報をＲＮＣに提供する。
【００４１】
−ステップ６では、ＲＮＣは式（２）を使用して「Ｍａｘ３ＧＢＷ」として前に言及した、無線アクセスネットワークがフェムトＲＢＳを介してフェムトセルのユーザに提供することができる最大帯域幅を計算する。またＲＮＣは、「Ｍａｘ３ＧＢＷ」についての情報を格納する。
【００４２】
−ステップ７Ａでは、３Ｇトラフィックに対する購入帯域幅、即ち、「購入３ＧＢＷ」についての情報をＲＮＣがＡＣＤＢから要求する。
【００４３】
−ステップ７Ｂでは、ＡＣＤＢは「購入３ＧＢＷ」についての情報で応答する。
【００４４】
−ステップ８では、ＲＮＣは「購入３ＧＢＷ」についての情報を格納する。１以上の加入ユーザのダウンリンクにおけるデータの輻輳とアドミッション制御のために、ＲＮＣがこの情報を使用する。
【００４５】
−ステップ９では、ＲＮＣは、蓄積情報、即ち、「Ｍａｘ３ＧＢＷ」と「購入３ＧＢＷ」とを使用し、フェムトセルの非加入ユーザＵＥに割り当てられる「非割り当て３ＧＢＷ」として前に言及した帯域幅を計算することができる。ＲＮＣは次いで、フェムトＲＢＳ（またはフェムトＲＢＳ＋ＣＰＥ）に「非割り当て３ＧＢＷ」と「購入３ＧＢＷ」とを通知し、１以上の加入ユーザのスループットを「購入３ＧＢＷ」に制限し、残る帯域幅、即ち、「非割り当て３ＧＢＷ」を他のユーザ、即ち、非加入ユーザＵＥに対して使用するようにフェムトＲＢＳ（またはフェムトＲＢＳ＋ＣＰＥ）に要求する。前述のように、従って、フェムトセルにおけるアドミッション／アクセスと輻輳制御、即ち、フェムトセルにおける加入ユーザと非加入ユーザ双方のアップリンクデータについてのアドミッション／輻輳制御が達成される。
【００４６】
図５Ａは、フェムトセルにおける従来の帯域幅利用を示す図であり、これは上記の第１の代表的な実施例に従う本発明を実施していない。
【００４７】
図５Ｂは、本発明の第１の代表的な実施例に従うフェムトセルにおける帯域幅利用を示す図である。本発明の第１の代表的な実施例に従えば、本発明が従来技術に対し帯域幅利用の改善をもたらすのは、「非割り当て３ＧＢＷ」をフェムトセルにおける非加入ユーザに割り当てることができるからであることが図５Ｂから明らかである。図５Ｂでは、「非割り当て３ＧＢＷ」を“他のユーザ”のための３ＧＢＷと表わしている。
【００４８】
図６Ａには、本発明の第２の代表的な実施例に従うフェムトセルにおける帯域幅制御とアクセス制御とを行う方法に従うシグナリングメッセージが図示されている。
【００４９】
ステップ１では、ＤＳＬ回線ＢＷ試験をフェムトＲＢＳ（またはフェムトＲＢＳ＋ＣＰＥ）とＤＳＬＡＭとの間で（アップリンクおよびダウンリンク双方において）実行し、これにより、「ＤＳＬ回線ＢＷ」を測定する。本発明の第２の代表的な実施例では、ＤＳＬＡＭとフェムトＲＢＳ（またはフェムトＲＢＳ＋ＣＰＥ）とは、パラメータである「購入ＩＰＢＷ」に関する知識を有すると想定し、それ故、式（２）を使用してパラメータ「Ｍａｘ３ＧＢＷ」を決定することができる。
【００５０】
ステップ２では、測定された帯域幅についての情報をフェムトＲＢＳ（またはフェムトＲＢＳ＋ＣＰＥ）とＤＳＬＡＭに格納する。
【００５１】
ステップ３では、本発明の現在の代表的な実施例に従って、ＤＳＬＡＭは、式（１）に関連して前に説明したように、「購入ＩＰＢＷ」と「購入３ＧＢＷ」の組み合わせである購入帯域幅（「購入ＢＷ」）の知識を有すると想定し、即ち、「購入ＩＰＢＷ」と「購入３ＧＢＷ」とは単一のパラメータである「購入ＢＷ」にマージされる。ステップ３で、ＤＳＬＡＭは「購入ＢＷ」についての情報をフェムトＲＢＳ（またはフェムトＲＢＳ＋ＣＰＥ）に送信する。
【００５２】
ステップ４では、フェムトＲＢＳ（またはフェムトＲＢＳ＋ＣＰＥ）は、「購入ＢＷ」についての情報を格納する。
【００５３】
ステップ５では、フェムトＲＢＳ（またはフェムトＲＢＳ＋ＣＰＥ）は、測定された「ＤＳＬ回線ＢＷ」についての情報と「購入ＢＷ」についての情報をＲＮＣに提供する。
【００５４】
ステップ６では、優先権機能をフェムトＲＢＳ（またはフェムトＲＢＳ＋ＣＰＥ）とＤＳＬＡＭに実装し、後で説明するようにＩＰトラフィックより３Ｇトラフィックに優先権を付与する。
【００５５】
ステップ７では、ＲＮＣは「購入ＢＷ」についての情報と「ＤＳＬ回線ＢＷ」についての情報を格納し、次いで、帯域幅量、つまり、フェムトセルの非加入ユーザＵＥに割り当てることができる非割り当て３ＧＢＷを計算する。しかしながら、非割り当て３ＧＢＷは以下の式に従って計算する。即ち、
非割り当て３ＧＢＷ＝ＤＳＬ回線ＢＷ−購入ＢＷ          （５）
である。
【００５６】
ステップ８では、本発明の前記の実施例と同様に、ＲＮＣはフェムトＲＢＳ（またはフェムトＲＢＳ＋ＣＰＥ）に「非割り当て３ＧＢＷ」を通知し、非加入ユーザのスループットを「非割り当て３ＧＢＷ」に制限するようにフェムトＲＢＳ（またはフェムトＲＢＳ＋ＣＰＥ）に要求する。前述のように、従って、アドミッション／アクセスと輻輳制御とがフェムトセルにおいて達成される。
【００５７】
前述のトラフィックの優先権付与に関して、フェムトＲＢＳ（またはフェムトＲＢＳ＋ＣＰＥ）は、以下の代表的な優先権に従ってアップリンクトラフィックの優先権付与について、「購入ＢＷ」についての情報と「ＤＳＬ回線ＢＷ」についての情報を使用する。代表的な優先権とは、
−１以上の加入ユーザの３Ｇトラフィック（最大「購入ＢＷ」まで）
−１以上の加入ユーザのＩＰトラフィック（「購入ＢＷ」−「購入３ＧＢＷ」）
−１以上の非加入ユーザの３Ｇトラフィック（式（５）で与えられる「ＤＳＬ回線ＢＷ」−「購入ＢＷ」）
である。
【００５８】
ＤＳＬＡＭでは、ダウンリンク３Ｇトラフィック（即ち、無線ＷＣＤＭＡネットワークから提供される）についての優先権付与は、以下の代表的な優先権、即ち、
−１以上の加入ユーザの３Ｇトラフィック
−１以上の加入ユーザのＩＰトラフィック
に従う。
【００５９】
上述のステップ８に戻ると、ＲＮＣにおいてダウンリンクトラフィックに課す帯域幅制限は以下の優先権、即ち、
−１以上の加入ユーザの３Ｇトラフィック（最大「購入ＢＷ」まで）
−１以上の非加入ユーザの３Ｇトラフィック（最大「非割り当て３ＧＢＷ」まで）
を有すると良い。
【００６０】
このように、フェムトセルにおけるアドミッション／アクセスと輻輳制御、即ち、フェムトセルにおける加入ユーザと非加入ユーザ双方のアップリンクデータについてのアドミッション／輻輳制御を達成する。
【００６１】
図６Ｂには、本発明のさらに別の代表的な実施例に従うフェムトセルにおける帯域幅制御とアクセス制御とを行う方法に従ったシグナリングメッセージが図示されている。
【００６２】
ステップ１では、本発明の前述の実施例と同様に、ＤＳＬ回線ＢＷ試験をフェムトＲＢＳ（またはフェムトＲＢＳ＋ＣＰＥ）とＤＳＬＡＭとの間で（アップリンクおよびダウンリンク双方において）実行し、これにより「ＤＳＬ回線ＢＷ」を測定する。再び、ＤＳＬＡＭとフェムトＲＢＳ（またはフェムトＲＢＳ＋ＣＰＥ）は、パラメータ「購入ＩＰＢＷ」についての知識を有すると想定し、それ故、式（２）を使用してパラメータ「Ｍａｘ３ＧＢＷ」を決定することができる。
【００６３】
ステップ２では、測定された帯域幅（「ＤＳＬ回線ＢＷ」）についての情報をフェムトＲＢＳ（またはフェムトＲＢＳ＋ＣＰＥ）とＤＳＬＡＭに格納する。
【００６４】
ステップ３では、「ＤＳＬ回線ＢＷ」についての情報をフェムトＲＢＳ（またはフェムトＲＢＳ＋ＣＰＥ）がＲＮＣに提供する。
【００６５】
ステップ４Ａでは、「購入ＩＰＢＷ」と「購入３ＧＢＷ」の双方に関する知識を有すると想定されるＡＣＤＢからＲＮＣが「購入ＢＷ」（即ち、式（１）で与えるような）についての情報を要求し、このようにして２つのパラメータを「購入ＢＷ」にマージする。
【００６６】
ステップ４Ｂでは、ＡＣＤＢは要求された「購入ＢＷ」についての情報で応答する。
【００６７】
ステップ５では、ＲＮＣは、ＡＣＤＢから受信する情報とフェムトＲＢＳ（またはフェムトＲＢＳ＋ＣＰＥ）が提供する情報とに基づいて「非割り当て３ＧＢＷ」を計算する。非割り当て３ＧＢＷは式（５）を使用して計算する。
【００６８】
ステップ６では、ＲＮＣは、フェムトＲＢＳ（またはフェムトＲＢＳ＋ＣＰＥ）に「購入ＢＷ」を通知する。本発明の代表的な実施例では、ＲＡＮ（即ち、ＡＣＤＢ）に格納されると想定した「購入ＢＷ」が固定ＩＰネットワーク（即ち、ＤＳＬＡＭ）に通知されることになる。
【００６９】
ステップ７では、本発明の代表的な実施例に従って、ＲＡＮ（即ち、ＡＣＤＢ）に格納されると想定した「購入ＢＷ」を固定ＩＰネットワーク（即ち、ＤＳＬＡＭ）に通知する。それ故、「購入ＢＷ」はＤＳＬＡＭに提供される。
【００７０】
ステップ８では、優先権機能をフェムトＲＢＳ（またはフェムトＲＢＳ＋ＣＰＥ）とＤＳＬＡＭとに実装し、本発明の第２の代表的な実施例に関連して既に説明したように、ＩＰトラフィックより３Ｇトラフィックに優先権を付与する。さらに、帯域幅制限もまた本発明の第２の代表的な実施例に関連して以前に説明した制限に類似するものである。
【００７１】
このように、フェムトセルにおけるアドミッション／アクセスと輻輳制御、即ち、フェムトセルの加入ユーザと非加入ユーザ双方のアップリンクデータのアドミッション／輻輳制御が達成される。
【００７２】
言及すべきことは、上記の本発明の実施例ではフェムトＲＢＳ（またはフェムトＲＢＳ＋ＣＰＥ）がＲＮＣに提供する情報は、ＮＢＡＰ（ノードＢアプリケーションプロトコル）として既知のプロトコルにおける検査手順を使用して、或いは、プライベートメッセージとしてＮＢＡＰを介して送信されることである。さらにその上、ＲＮＣがフェムトＲＢＳ（またはフェムトＲＢＳ＋ＣＰＥ）に提供する情報は、ＮＢＡＰにおいてセットアップされるセルを介して、またはＮＢＡＰ（プライベートメッセージ）を介して送信されても良い。またなお、何らかの他の適するプロトコルが図４、図６Ａ、図６Ｂに図示されたシグナリングに使用されても良く、それ故、本発明は特定のプロトコルに限定されるものではない。
【００７３】
図７は上記の本発明の代表的な実施例に従うフェムトセルにおける帯域幅利用の例を示す図であり、「購入ＩＰＢＷ」と「購入３ＧＢＷ」を１つの単独のパラメータ「購入ＢＷ」にマージする。また、図７から本発明が代表的な実施例に従えば、従来技術（図５Ａ）に対し改善した帯域幅利用を提供することは明らかである。
【００７４】
本発明、そして、その説明した代表的な実施例を用いれば、フェムト無線基地局がサービスを提供するフェムトセルを含むネットワークにおける容量／スループット／帯域幅の利用は、例えば加入ユーザのようなホームユーザと、例えば非加入ユーザのようなその他のユーザとの間に個別の帯域幅制御を提供し、フェムトセルにおけるアクセス制御と輻輳制御の改善を達成することによって改善される。
【００７５】
なお、ＩＰ  ｘＤＳＬネットワークに接続されるＷＣＤＭＡ無線ネットワークを含むネットワークシナリオに関して本発明の実施例を説明したが、提案する解決策の実施例は、例えば、ＧＳＭネットワークと、ＬＴＥネットワークと、ＩＰネットワークに接続されるＷｉＭＡＸネットワークとの内の少なくともいずれかのような何らかの他のネットワークシナリオにおいて使用することができる。さらに、本発明はｘＤＳＬ  ＩＰネットワークに限定されるものではない。一例として、ケーブルネットワークまたはケーブルＴＶネットワークの通常のＥ１／Ｔ１／Ｊ１リンクをｘＤＳＬ回線の代わりに使用することができる。
【００７６】
さらに、本発明とその実施例は多くの方法で実現することができる。例えば、本発明の一実施例は、帯域幅制御とアクセス制御とを行うために、通信システムの１つまたは幾つかのネットワークノードに位置するコンピュータシステムにより実行可能な命令を格納したコンピュータ可読媒体を含む。コンピュータシステムにより実行可能でありコンピュータ可読媒体に格納された命令は、請求の範囲において説明される本発明の方法の工程を実行する。
【００７７】
幾つかの好ましい実施例により本発明を説明したが、明細書を読み図面を検討すれば、当業者には本発明の代替、修正、置換、および均等物が明らかになるとが考えられる。それ故、以下に添付する請求の範囲は、本発明の範囲内に入るものとしてそのような代替、修正、置換、および均等物を含むと考える。
【図１】
2010538524.tif 000003
【図２】
2010538524.tif 000004
【図３】
2010538524.tif 000005
【図４】
2010538524.tif 000006
【図５Ａ】
2010538524.tif 000007
【図５Ｂ】
2010538524.tif 000008
【図６Ａ】
2010538524.tif 000009
【図６Ｂ】
2010538524.tif 000010
【図７】
2010538524.tif 000011
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
無線通信ネットワークに接続されるフェムトＲＢＳ（２１０，３１０）がサービスを提供するフェムトセル（２００，３００）の帯域幅とアクセスとを制御する方法であって、前記方法は、
前記無線通信ネットワークの無線ネットワーク制御ノード（２７２，３７２）において、前記フェムトＲＢＳ（２１０，３１０）と前記無線通信ネットワークに接続されるネットワークノード（２５０，３５０，２７１，３７１）との間で測定された利用可能な帯域幅についての情報と、前記フェムトセル（２００，３００）の少なくとも１人の加入ユーザ（２２０，２３０，３２０，３３０）が購入した帯域幅についての情報とを取得する工程（１）と、
前記無線ネットワーク制御ノード（２７２，３７２）において、前記取得された情報に基づいて、前記フェムトＲＢＳ（２１０，３１０）を介して、前記フェムトセルにおける非加入ユーザ（３４０）に前記無線通信ネットワークが提供することができる帯域幅を計算する工程（２）と、
前記計算された帯域幅についての情報に基づいて、前記フェムトセル（２００，３００）の前記帯域幅とアクセスとを制御する工程（３）とを有することを特徴とする方法。
【請求項２】
前記フェムトＲＢＳ（２１０，３１０）をＩＰネットワーク（２６０，３６０）を介して前記無線通信ネットワークに接続する工程をさらに有することを特徴とする請求項１に記載の方法。
【請求項３】
前記利用可能な帯域幅を測定することは、前記フェムトセル（２００，３００）における顧客宅内装置（ＣＰＥ）を備えた或いは前記顧客宅内装置（ＣＰＥ）に接続された前記フェムトＲＢＳ（２１０，３１０）と前記無線通信ネットワークに接続された前記ネットワークノード（２５０，３５０，２７１，３７１）との間で実行されることを特徴とする請求項１又は２に記載の方法。
【請求項４】
前記工程（１）において、前記購入した帯域幅についての情報を取得することは、前記ＩＰネットワーク（２５０，３５０）へアクセスするために前記１人の加入ユーザ（２２０，２３０，３２０，３３０）が購入したＩＰ帯域幅についての情報を少なくとも取得することを含むことを特徴とする請求項１乃至３のいずれか１項に記載の方法。
【請求項５】
前記取得する工程（１）は、前記無線ネットワーク制御ノード（２７２，３７２）により、前記フェムトＲＢＳ（２１０，３１０）から、前記利用可能な帯域幅についての情報と前記購入したＩＰ帯域幅についての情報を取得することを含むことを特徴とする請求項１乃至４のいずれか１項に記載の方法。
【請求項６】
前記計算する工程（２）において、前記無線通信ネットワークが前記フェムトセル（２００，３００）におけるユーザに割り当てることができる前記帯域幅が、前記無線ネットワーク制御ノード（２７２，３７２）において、前記測定された利用可能な帯域幅と前記購入したＩＰ帯域幅との差をとることにより計算されることを特徴とする請求項５に記載の方法。
【請求項７】
前記無線ネットワークにおける前記無線ネットワーク制御ノード（２７２，３７２）により、別のネットワークノード（２７１，３７１）から、或いは、前記無線ネットワークのアクセス制御データベース（ＡＣＤＢ）ノードから、前記フェムトＲＢＳ（２１０，３１０）を介して前記無線通信ネットワークへのアクセスを行うために前記少なくとも１人の加入ユーザ（２２０，２３０，３２０，３３０）が購入した帯域幅についての情報を要求する工程をさらに有することを特徴とする請求項６に記載の方法。
【請求項８】
前記無線ネットワーク制御ノード（２７２，３７２）において、前記無線通信ネットワークが前記フェムトセル（２００，３００）におけるユーザに割り当てることができる前記帯域幅と、前記フェムトＲＢＳ（２１０，３１０）を介して前記無線通信ネットワークへのアクセスを行うために前記少なくとも１人の加入ユーザ（２２０，２３０，３２０，３３０）が購入した前記帯域幅との差をとることにより、前記非加入ユーザに割り当てられる帯域幅を計算する工程をさらに有することを特徴とする請求項７に記載の方法。
【請求項９】
前記ネットワーク制御ノード（２７２，３７２）から前記フェムトＲＢＳ（２１０，３１０）へ、前記計算された帯域幅と、前記フェムトＲＢＳ（２１０，３１０）を介して前記無線通信ネットワークへのアクセスを行うために前記少なくとも１人の加入ユーザ（２２０，２３０，３２０，３３０）が購入した前記帯域幅についての情報とを送信する工程をさらに有することを特徴とする請求項８に記載の方法。
【請求項１０】
前記帯域幅を制御する工程（３）は、前記フェムトＲＢＳ（２１０，３１０）を介して前記無線通信ネットワークへのアクセスを行うために前記計算された帯域幅を前記非加入ユーザ（３４０）に割り当てることを含み、
前記アクセスを制御することは、前記割り当てられた帯域幅を用いて前記非加入ユーザ（３４０）が前記無線通信ネットワークへのアクセスを行うことを可能とし、前記計算された帯域幅が零以下であるなら、前記非加入ユーザが前記フェムトＲＢＳ（２１０，３１０）を介して前記無線通信ネットワークにアクセスを行うこと禁止することを含むことを特徴とする請求項９に記載の方法。
【請求項１１】
無線通信ネットワークに接続されるフェムトＲＢＳ（２１０，３１０）がサービスを提供するフェムトセル（２００，３００）の帯域幅制御とアクセス制御とを行うのに使用する前記無線通信ネットワークの無線ネットワーク制御ノード（２７２，３７２）であって、前記無線ネットワーク制御ノード（２７２，３７２）は、
前記フェムトＲＢＳ（２１０，３１０）と前記無線通信ネットワークに接続されるネットワークノード（２５０，３５０，２７１，３７１）との間で測定される利用可能な帯域幅に関する情報と、前記フェムトセル（２００，３００）における少なくとも１人の加入ユーザ（２２０，２３０，３２０，３３０）が購入した帯域幅についての情報とを取得するように構成された取得手段と、
前記取得された情報に基づいて、前記無線通信ネットワークが前記フェムトＲＢＳ（２１０，３１０）を介して前記フェムトセルの非加入ユーザ（３４０）に提供することができる帯域幅を計算するように構成された計算手段と、
前記計算された帯域幅についての情報に基づいて、前記フェムトセル（２００，３００）の帯域幅を制御し、アクセスを制御するように構成された制御手段とを有することを特徴とする無線ネットワーク制御ノード。
【請求項１２】
前記取得手段は、前記フェムトＲＢＳ（２１０，３１０）から、前記利用可能な帯域幅についての情報と、ＩＰネットワーク（２６０，３６０）へアクセスするために前記少なくとも１人の加入ユーザ（２２０，２３０，３２０，３３０）が購入したＩＰ帯域幅についての情報を少なくとも含む前記購入した帯域幅についての情報を取得するように構成されることを特徴とする請求項１１に記載の無線ネットワーク制御ノード。
【請求項１３】
前記計算手段は、前記無線通信ネットワークが前記フェムトセル（２００，３００）におけるユーザに割り当てることができる前記帯域幅を、前記測定された利用可能な帯域幅と前記購入したＩＰ帯域幅との差をとることにより計算するよう構成されることを特徴とする請求項１２に記載の無線ネットワーク制御ノード。
【請求項１４】
前記取得手段は、別のネットワークノード（２７１，３７１）から、或いは、前記無線ネットワークのアクセス制御データベース（ＡＣＤＢ）ノードから、前記フェムトＲＢＳ（２１０，３１０）を介して前記無線通信ネットワークへのアクセスを行うために前記少なくとも１人の加入ユーザ（２２０，２３０，３２０，３３０）が購入した帯域幅についての情報を取得するよう構成されることを特徴とする請求項１３に記載の無線ネットワーク制御ノード。
【請求項１５】
前記計算手段はさらに、前記無線通信ネットワークが前記フェムトセル（２００，３００）におけるユーザに割り当てることができる前記帯域幅と、前記フェムトＲＢＳ（２１０，３１０）を介して前記無線通信ネットワークへのアクセスを行うために前記少なくとも１人の加入ユーザ（２２０，２３０，３２０，３３０）が購入した前記帯域幅との差をとることにより、前記非加入ユーザに割り当てられる帯域幅を計算するよう構成されることを特徴とする請求項１４に記載の無線ネットワーク制御ノード。
【請求項１６】
前記フェムトＲＢＳ（２１０，３１０）へ、前記計算された帯域幅についての情報と、前記フェムトＲＢＳ（２１０，３１０）を介して前記無線通信ネットワークへのアクセスを行うために前記少なくとも１人の加入ユーザ（２２０，２３０，３２０，３３０）が購入した前記帯域幅についての情報とを送信する手段をさらに有することを特徴とする請求項１５に記載の無線ネットワーク制御ノード。
【請求項１７】
前記制御手段は、前記計算された帯域幅を前記非加入ユーザ（３４０）に割り当てるよう構成され、
前記制御手段はさらに、前記計算された帯域幅を前記フェムトＲＢＳ（２１０，３１０）に通知することにより、前記非加入ユーザ（３４０）が前記フェムトＲＢＳ（２１０，３１０）を介して前記無線ネットワークにアクセスを行うことを許可するように構成されることを特徴とする請求項１６に記載の無線ネットワーク制御ノード。
【請求項１８】
前記制御手段は、前記非加入ユーザ（３４０）が前記フェムトＲＢＳ（２１０，３１０）を介して前記無線通信ネットワークにアクセスを行うよう前記計算された帯域幅を割り当てるよう構成され、
前記制御手段はさらに、前記割り当てられた帯域幅を用いて前記非加入ユーザ（３４０）が前記無線通信ネットワークへのアクセスを行うことを可能とし、前記計算された帯域幅が零以下であるなら、前記非加入ユーザが前記フェムトＲＢＳ（２１０，３１０）を介して前記無線通信ネットワークにアクセスを行うこと禁止することにより、アクセス制御を行うように構成されることを特徴とする請求項１７に記載の無線ネットワーク制御ノード。
【国際調査報告】
2010538524.tif 000012
2010538524.tif 000013
2010538524.tif 000014
2010538524.tif 000015